(57)【要約】【課題】  釣り用リールのハンドル組立体において、ハンドル把手を任意の向きに保持できるようにする。【解決手段】  ハンドル組立体２は、ハンドルアーム６と、ハンドルアーム６の一端部に回転自在に装着されたハンドル把手７と、ハンドル把手７をハンドルアーム６に回転自在に装着するための金属製の把手軸８とを有している。ハンドル把手７は、把手軸８に回転自在に装着され把手軸８に交差する方向の両方に延びる把手本体７０と、把手本体７０の重心から偏芯した位置に設けられた８箇所の収納凹部７１と、８箇所の収納凹部７１のうち３箇所の収納凹部７１に選択的に装着可能な３個の錘体部７２とを有している。ここでは、３個の錘体部７２が、斜め下方向の３箇所の収納凹部７１に装着されているので、把手本体７０を斜め下方向の向きに保持することができる。【選択図】      図３
2006094824.tif 000002
【特許請求の範囲】
【請求項１】
釣り用リールのハンドル軸の先端に装着されるハンドル組立体であって、
前記ハンドル軸の先端に基端が装着され、前記ハンドル軸と交差する方向に延びるハンドルアームと、
前記ハンドルアームの先端に固定され、前記ハンドル軸に沿う方向に延びる把手軸と、
前記把手軸に回転自在に装着され前記把手軸に交差する方向の少なくとも一方に延びる把手本体と、前記把手本体の重心から偏芯した位置に設けられた複数の収納凹部と、前記複数の収納凹部に選択的に装着可能な１又は複数の錘体部とを有するハンドル把手と、
を備えた釣り用リールのハンドル組立体。
【請求項２】
前記把手本体の前記重心は、前記把手軸の軸芯と略同一になるように形成されている、請求項１に記載の釣り用リールのハンドル組立体。
【請求項３】
前記収納凹部は、前記把手本体の後端面の前記把手軸の周縁部に周方向に沿って並べて形成されている、請求項２に記載の釣り用リールのハンドル組立体。
【請求項４】
前記錘体部は、前記収納凹部にかしめ固定される柱状部材である、請求項１から３のいずれか１項に記載の釣り用リールのハンドル組立体。
【請求項５】
前記錘体部は、金属製部材である、請求項１から４のいずれか１項に記載の釣り用リールのハンドル組立体。
【請求項６】
前記把手本体は、合成樹脂製部材である、請求項１から５のいずれか１項に記載の釣り用リールのハンドル組立体。
【請求項７】
前記把手本体は、前記把手軸に交差する方向の両方に延びている、請求項１から６のいずれか１項に記載の釣り用リールのハンドル組立体。
【請求項８】
前記把手本体は、前記把手本体の一端側の端部と前記把手軸との間の長さが、前記把手本体の他端側の端部と前記把手軸との間の長さと同一になるように、両方に延びている、請求項７に記載の釣り用リールのハンドル組立体。
【請求項９】
前記把手本体は、前記把手本体の一端側の端部と前記把手軸との間の長さが、前記把手本体の他端側の端部と前記把手軸との間の長さと異なるように、両方に延びている、請求項７に記載の釣り用リールのハンドル組立体。
【請求項１０】
前記釣り用リールは、スピニングリールである、請求項１から９のいずれか１項に記載の釣り用リールのハンドル組立体。
【請求項１１】
前記釣り用リールは、両軸受リールである、請求項１から９のいずれか１項に記載の釣り用リールのハンドル組立体。
【発明の詳細な説明】
【技術分野】
【０００１】
本発明は、ハンドル組立体、特に、釣り用リールのハンドル軸の先端に装着されるハンドル組立体に関する。
【背景技術】
【０００２】
スピニングリールや、両軸受リール等の釣り用リールのハンドル軸の先端には、ハンドル組立体が固定されている。ハンドル組立体は、ハンドル軸の先端に回転不能に装着されたハンドルアームと、ハンドルアームの先端に固定された把手軸と、把手軸に回転自在に装着されたハンドル把手とを有している。
【０００３】
このようなハンドル把手は、重心から偏芯した位置にウェイトを設け、ハンドルアームがどの位置にあっても、常時所定の向きに保持されるようにしたものが知られている（たとえば、特許文献１参照）。また、常時所定の向きに保持されるようにした別のハンドル把手として、把手軸から端部までの長さが異なる把手軸に対して非対称形状のハンドル把手を有するものが知られている（たとえば、特許文献２参照）。このハンドル把手は、一端側の端部と把手軸との間の長さが、他端側の端部と把手軸との間の長さより長くなるように、把手軸に交差する方向の両方に延びている。ここでは、ハンドル把手全体の重心が把手軸の軸芯から一端側に偏芯した位置になるので、ハンドル把手は一端側が常に下方に向くように保持される。このようなハンドル把手では、一端側が常に下方に向くように形成されているので、釣人は咄嗟の際に目や指でハンドル把手の向きを確認することなく確実に握持することができる。
【特許文献１】特開平１０−１７８９８３号公報
【特許文献２】意匠登録第１１４３３１３号公報
【発明の開示】
【発明が解決しようとする課題】
【０００４】
前記従来のハンドル組立体は、ハンドル把手全体の重心が把手軸の軸芯から一端側に偏芯した位置にあるので、ハンドル把手は一端側が常に下方に向くように保持される。しかし、このようにハンドル把手が常に所定の向きに保持されると、釣人の好みや状況によっては咄嗟にハンドル把手が握持しにくくなるおそれがある。特に、全体を掌で握持可能な形状のハンドル把手では、一端側が釣人側に向くようにする方が咄嗟の際に握持しやすい。しかし、ハンドル把手を傾ける角度は、釣人の身長や体格、竿を持つときの癖等に依存するので、ハンドル把手の向きを一意に決めるのは困難である。
【０００５】
本発明の課題は、釣り用リールのハンドル組立体において、ハンドル把手を任意の向きに保持できるようにすることにある。
【課題を解決するための手段】
【０００６】
発明１に係るハンドル組立体は、釣り用リールのハンドル軸の先端に装着されるハンドル組立体であって、ハンドル軸の先端に基端が装着されハンドル軸と交差する方向に延びるハンドルアームと、ハンドルアームの先端に固定されハンドル軸に沿う方向に延びる把手軸と、把手軸に回転自在に装着され把手軸に交差する方向の少なくとも一方に延びる把手本体と把手本体の重心から偏芯した位置に設けられた複数の収納凹部と複数の収納凹部に選択的に装着可能な１又は複数の錘体部とを有するハンドル把手とを備えている。
【０００７】
このハンドル組立体では、ハンドル把手には重心から偏芯した位置に設けられた複数の収納凹部と、複数の収納凹部に選択的に装着可能な錘体部とが設けられている。ここでは、複数の収納凹部に錘体部を釣人の好みに合わせて選択的に装着することにより、ハンドルアームがどの位置にあっても、ハンドル把手を任意の向きに保持することができる。
【０００８】
発明２に係るハンドル組立体は、発明１のハンドル組立体において、把手本体の重心は、把手軸の軸芯と略同一になるように形成されている。この場合、把手本体を把手軸の軸芯に対して軸対称となるように形成できるので、収納凹部を把手軸の軸芯に対して偏芯させればよくなり、このため収納凹部の形成が容易になる。
【０００９】
発明３に係るハンドル組立体は、発明２のハンドル組立体において、収納凹部は、把手本体の後端面の把手軸の周縁部に周方向に沿って並べて形成されている。この場合、環状に配置された複数の収納凹部のうち一方側の収納凹部に錘体部を装着することにより、たとえば把手本体を下方向や、斜め下方向や、水平方向等の任意の向きに保持することができる。
【００１０】
発明４に係るハンドル組立体は、発明１から３のいずれかのハンドル組立体において、錘体部は、収納凹部にかしめ固定される柱状部材である。この場合、収納凹部の径よりやや大径の柱状部材を押し込んでかしめ固定することにより、錘体部の装着固定が簡単かつ確実になる。
【００１１】
発明５に係るハンドル組立体は、発明１から４のいずれかのハンドル組立体において、錘体部は、金属製部材である。この場合、たとえば比較的比重の大きい鉄や鉛等の金属によって錘体部を形成することにより、把手本体の姿勢保持が容易になる。
【００１２】
発明６に係るハンドル組立体は、発明１から５のいずれかのハンドル組立体において、把手本体は、合成樹脂製部材である。この場合、たとえば比較的軽量な合成樹脂によって把手本体を形成することにより、ハンドル把手全体を軽量化できる。
【００１３】
発明７に係るハンドル組立体は、発明１から６のいずれかのハンドル組立体において、把手本体は、把手軸に交差する方向の両方に延びている。この場合、把手本体は把手軸を挟んで両方向に延びて形成されているので、把手本体の両側を把持することにより、ハンドル把手を握持しやすくなる。
【００１４】
発明８に係るハンドル組立体は、発明７のハンドル組立体において、把手本体は、把手本体の一端側の端部と把手軸との間の長さが、把手本体の他端側の端部と把手軸との間の長さと同一になるように、両方に延びている。この場合、把手本体の両側が同じ長さで形成されているので、たとえば把手軸に対して対称形状になるように把手本体を形成でき、このため把手本体のどちらの側でも同じ握持感を得ることができる。
【００１５】
発明９に係るハンドル組立体は、発明７のハンドル組立体において、把手本体は、把手本体の一端側の端部と把手軸との間の長さが、把手本体の他端側の端部と把手軸との間の長さと異なるように、両方に延びている。この場合、把手本体の両側が異なる長さで形成されているので、把手軸に対して非対称形状になるように把手本体を形成でき、たとえば把手本体の指を当てる側を長く形成することにより、ハンドル把手をさらに握持しやすくなる。
【００１６】
発明１０に係るハンドル組立体は、発明１から９のいずれかのハンドル組立体において、釣り用リールは、スピニングリールである。この場合、スピニングリールのハンドル把手を任意の向きに保持することができる。
【００１７】
発明１１に係るハンドル組立体は、発明１から９のいずれかのハンドル組立体において、釣り用リールは、両軸受リールである。この場合、両軸受リールのハンドル把手を任意の向きに保持することができる。
【発明の効果】
【００１８】
本発明によれば、釣り用リールのハンドル組立体において、ハンドル把手には重心から偏芯した位置に設けられた複数の収納凹部と、複数の収納凹部に選択的に装着可能な錘体部とを設けることにより、ハンドル把手を任意の向きに保持できる。
【発明を実施するための最良の形態】
【００１９】
本発明の一実施形態を採用した両軸受リールは、図１に示すように、シングルハンドルタイプの丸型リールであり、リール本体１と、リール本体１の側方に配置されたスプール回転用のハンドル組立体２と、ハンドル組立体２のリール本体１側に配置されたスタードラグ３とを備えている。
【００２０】
リール本体１には、図１に示すように、釣り糸を巻き取りあるいは繰り出すためのスプール１５が回転自在に装着され、竿取付脚４を介して釣竿Ｒに取り付けられている。リール本体１は、図２に示すように、所定の間隔をあけて配置された左右１対の第１側板１０及び第２側板１１と第１側板１０及び第２側板１１を連結する複数の連結部材１２とを有するフレーム５と、フレーム５の両側方に装着された第１側カバー１３及び第２側カバー１４と、第２側カバー１４に装着された機構装着板１６とを有している。機構装着板１６は第２側板１１に接触して配置され、機構装着板１６と第２側カバー１４との間には、各種機構を収納するための空間が形成されている。また、リール本体１の第２側カバー１４後方には、図示しないクラッチ機構を操作するためのクラッチレバー４０が揺動自在に装着されている。
【００２１】
フレーム５はダイカスト成形により得られ、第２側カバー１４は金属薄板をプレス成形して得られる。第１側板１０及び第２側板１１、第１側カバー１３は、それぞれ側面から見て円形をなしており、外周面はたとえば旋盤等を用いて機械加工されている。第２側カバー１４及び機構装着板１６は、図２及び図３に示すように、側面から見て円形の一部が径方向に突出した形状である。第２側カバー１４は、ハンドル軸３０（図２参照）の装着部分を中心に軸方向外方にも膨出している。
【００２２】
連結部材１２は、第１側板１０及び第２側板１１の外周に沿う形状で第１側板１０及び第２側板１１と一体成形された板状の部材であり、たとえばリール本体１の後部と下部と上部との３か所で第１側板１０及び第２側板１１を連結している。この連結部材１２の外周部と第１側板１０及び第２側板１１とは、第１側カバー１３と同様に、一体的に機械加工されている。下部の連結部材１２には竿取付脚４が固定され、後部の連結部材１２には合成樹脂製のサムレスト１７が装着されている。
【００２３】
ハンドル組立体２は、図１から図４に示すように、ハンドル軸３０（図２参照）の先端に回転不能に装着されたハンドルアーム６と、ハンドルアーム６の一端部に回転自在に装着されたハンドル把手７と、ハンドル把手７をハンドルアーム６に回転自在に装着するための金属製の把手軸８（図３及び図４参照）とを有している。
【００２４】
ハンドルアーム６は、図２に示すように、ハンドル軸３０の径方向に延びる平板状の金属製の部材である。ハンドルアーム６は、ハンドル軸３０の先端に形成された面取り部３０ａに回転不能に係止されており、固定ナット３０ｂによりハンドル軸３０に着脱自在に固定されている。
【００２５】
ハンドル把手７は、図１から図５に示すように、把手軸８の外周側に回転自在に設けられた略卵型形状の合成樹脂製部材である。ハンドル把手７は、把手軸８に回転自在に装着された把手本体７０と、把手本体７０の重心から偏芯した位置に設けられた８箇所の収納凹部７１と、８箇所の収納凹部７１のうち３箇所の収納凹部７１に選択的に装着可能な３個の錘体部７２とを有している。
【００２６】
把手本体７０は、把手軸８に交差する方向の両方に延びており、把手本体７０の一端側の端部と把手軸８との間の長さが、把手本体７０の他端側の端部と把手軸８との間の長さと同一になるように、両方に延びている。把手本体７０は、重心が把手軸８の軸芯と同一になるように、把手軸８に対して対称形状に形成されている。把手本体７０は、外形が３次元曲面を有する略卵型形状の合成樹脂製部材であって、釣人が強く握持するのに好適な形状になっている。
【００２７】
収納凹部７１は、把手本体７０の後端面の把手軸８の周縁部に周方向に沿って略等間隔に並べて形成されている。収納凹部７１は、後端側が開口する凹部であって、たとえば切削加工や型成型により把手本体７０の後端面に形成されている。
【００２８】
錘体部７２は、図１に示すように、比較的比重の大きい鉄や鉛等の金属からなる柱状部材である。錘体部７２の外径は、収納凹部７１の径よりやや大径になるように形成されており、錘体部７２を収納凹部７１に押し込むことにより、収納凹部７１にかしめ固定される。ここでは、図５に示すように、３個の錘体部７２が、斜め下方向の３箇所の収納凹部７１に装着されているので、ハンドル把手７全体の重心が斜め下方向に移動し、このため把手本体７０を斜め下方向の向きに保持することができる。
【００２９】
このようなハンドル把手７において、把手本体７０の向きを変更するには、錘体部７２の収納凹部７１への装着位置を変更する。たとえば、図６に示すように、３個の錘体部７２を、長径側下方向の３箇所の収納凹部７１に装着することにより、ハンドル把手７全体の重心が長径側下方向に移動し、このため把手本体７０を下方向の向きに保持することができる。また、図７に示すように、３個の錘体部７２を、短径側下方向の３箇所の収納凹部７１に装着することにより、ハンドル把手７全体の重心が短径側下方向に移動し、このため把手本体７０を水平方向の向きに保持することができる。
【００３０】
このようなハンドル組立体２では、把手本体７０には重心から偏芯した位置に設けられた８個の収納凹部７１と、８箇所の収納凹部７１のうち３箇所の収納凹部７１に選択的に装着可能な錘体部７２とが設けられている。ここでは、８箇所の収納凹部７１のうち３箇所の収納凹部７１に３個の錘体部７２を釣人の好みに合わせて選択的に装着することにより、ハンドルアーム６がどの位置にあっても、把手本体７０を任意の向きに保持することができる。
【００３１】
〔他の実施形態〕
（ａ）  前記実施形態では、両軸受リールを例にあげて説明したが、これに限定されるものではなく、図１３に示すスピニングリール等の他のあらゆる釣り用リールにも本発明を適用できる。また、シングルハンドルタイプのリールに限定されず、ダブルハンドルタイプのリールにも本発明を適用できる。
【００３２】
本発明の他の実施形態を採用したスピニングリールは、図１３に示すように、ハンドル組立体１０１と、ハンドル組立体１０１を回転自在に支持するリール本体１０２と、ロータ１０３と、スプール１０４とを備えている。ロータ１０３は、リール本体１０２の前部に回転自在に支持されている。スプール１０４は、釣り糸を外周面に巻き取るものであり、ロータ１０３の前部に前後移動自在に配置されている。
【００３３】
ハンドル組立体１０１は、図示しないハンドル軸の先端に装着されるハンドルアーム１０６と、ハンドルアーム１０６の先端に装着されたハンドル把手１０７とを備えている。ハンドル把手１０７は、ハンドルアーム１０６の先端に固定された把手軸１０８に回転自在に装着されている。
【００３４】
ハンドル把手１０７は、把手軸１０８の外周側に回転自在に設けられた略卵型形状の合成樹脂製部材である。ハンドル把手１０７は、把手軸１０８に回転自在に装着された把手本体１７０と、把手本体１７０の重心から偏芯した位置に設けられた８箇所の収納凹部１７１と、８箇所の収納凹部１７１のうち３箇所の収納凹部１７１に選択的に装着可能な３個の錘体部１７２とを有している。
【００３５】
ここでは、前記実施形態と同様に、３個の錘体部１７２が、斜め下方向の３箇所の収納凹部１７１に装着されているので、ハンドル把手１０７全体の重心が斜め下方向に移動し、このため把手本体１７０を斜め下方向の向きに保持することができる。
【００３６】
（ｂ）  前記実施形態では、ハンドル把手７の外形が略卵型形状になるように形成されていたが、これに限定されるものではなく、図１２に示すように、たとえばハンドル把手７の外形が略Ｔ字状になるように形成してもよい。
【００３７】
（ｃ）  前記実施形態では、８箇所の収納凹部７１のうち３箇所の収納凹部７１に３個の錘体部７２を選択的に装着していたが、収納凹部７１及び錘体部７２の個数はこれに限定されるものではない。たとえば、図８に示すように、１個の錘体部７２を装着する構成にしてもよい。また、図９に示すように、錘体部７２が装着されていない５箇所の収納凹部７１に５個の内部が空洞かつ有底筒状の中空部材７３を装着し、全ての収納凹部７１を閉塞する構成にしてもよい。さらに、図１０に示すように、収納凹部７１全体を覆う銘板７４を把手本体７０後端に装着し、収納凹部７１全体を閉塞する構成にしてもよい。
【００３８】
（ｄ）  前記実施形態では、錘体部７２は金属製の柱状部材であったが、錘体部７２の材質及び形状はこれに限定されるものではなく、比較的比重の大きい合成樹脂製であってもよい。また、錘体部７２は収納凹部７１にかしめ固定されていたが、錘体部７２の固定方法はこれに限定されるものではない。たとえば、図１１に示すように、収納凹部７１として雌ねじ部７５を形成し、錘体部７２として雌ねじ部７５に螺合する六角穴付きのねじ部材７６を設け、錘体部７２が収納凹部７１に対して着脱可能となる構成にしてもよい。
【００３９】
（ｅ）  前記実施形態では、把手本体７０は、把手本体７０の一端側の端部と把手軸８との間の長さが、把手本体７０の他端側の端部と把手軸８との間の長さと同一になるように、両方に延びていたが、図１４及び図１５に示すように、把手本体７０の一端側の端部と把手軸８との間の長さが、把手本体７０の他端側の端部と把手軸８との間の長さと異なるようにしてもよい。ここでは、図１４に示すように、把手本体７０の指を当てる側の長さＡが、逆側の長さＢより長くなるように形成されている。この場合、収納凹部７１に錘体部７２を装着していないときは、把手本体７０の指を当てる側に重心があるので把手本体７０の指を当てる側の端部が下方を向いているが、図１５に示すように、８箇所の収納凹部７１のうち重心と逆側の２箇所の収納凹部７１に２個の錘体部７２を装着することにより、把手本体７０の指を当てる側の端部が釣人側に向くように斜めに配置することができる。
【図面の簡単な説明】
【００４０】
【図１】本発明の一実施形態を採用した両軸受リールの斜視図。
【図２】前記両軸受リールの断面図。
【図３】前記両軸受リールの側面図。
【図４】ハンドル把手の拡大図。
【図５】前記ハンドル把手を第１位置に保持したときの側面図。
【図６】前記ハンドル把手を第２位置に保持したときの側面図。
【図７】前記ハンドル把手を第３位置に保持したときの側面図。
【図８】他の実施形態の図５に相当する図。
【図９】他の実施形態の図５に相当する図。
【図１０】他の実施形態の図５に相当する図。
【図１１】他の実施形態の図１に相当する図。
【図１２】他の実施形態の図４に相当する図。
【図１３】本発明の他の実施形態を採用したスピニングリールの側面図。
【図１４】他の実施形態の図４に相当する図。
【図１５】他の実施形態の図５に相当する図。
【符号の説明】
【００４１】
１  リール本体
２  ハンドル組立体
６  ハンドルアーム
７  ハンドル把手
８  把手軸
３０  ハンドル軸
７０  把手本体
７１  収納凹部
７２  錘体部
７３  中空部材
７４  銘板
７５  雌ねじ部
７６  ねじ部材
【図１】
2006094824.tif 000003
【図２】
2006094824.tif 000004
【図３】
2006094824.tif 000005
【図４】
2006094824.tif 000006
【図５】
2006094824.tif 000007
【図６】
2006094824.tif 000008
【図７】
2006094824.tif 000009
【図８】
2006094824.tif 000010
【図９】
2006094824.tif 000011
【図１０】
2006094824.tif 000012
【図１１】
2006094824.tif 000013
【図１２】
2006094824.tif 000014
【図１３】
2006094824.tif 000015
【図１４】
2006094824.tif 000016
【図１５】
2006094824.tif 000017